(57)【特許請求の範囲】
【請求項１】
害虫の侵入を防止するために建物に設置される害虫侵入防止具であって、
前記害虫を落下させるための落下溝と、
この落下溝に入れられたグリコールと、を備えていることを特徴とする害虫侵入防止具。
【請求項２】
前記落下溝が、前記建物のドア又はシャッターの開閉のために床面に設けられるレール溝であることを特徴とする請求項１に記載の害虫侵入防止具。
【請求項３】
前記落下溝に設けられた蓋部と、
この蓋部に設けられ、前記落下溝と外部とを連通する連通孔と、を備えることを特徴とする請求項１に記載の害虫侵入防止具。
【請求項４】
前記連通孔が、前記蓋部において前記落下溝の底面部の長さ方向に沿って形成されていることを特徴とする請求項３に記載の害虫侵入防止具。
【請求項５】
請求項１から請求項４のいずれか一項に記載の害虫侵入防止具が、前記建物の床面に設置されていることを特徴とする害虫侵入防止構造。
【発明の詳細な説明】
【技術分野】
【０００１】
本発明は、建物に設置される害虫侵入防止具及びこれを有する害虫侵入防止構造に関するものである。
【背景技術】
【０００２】
建物内に害虫が侵入すると、非衛生的になるだけでなく、建物内の収容物や建物自体を傷めるおそれがあるため、それら害虫の侵入を防止する必要がある。特に、博物館や美術館などのように、貴重な史料や作品などが保管されているような建物については、害虫の侵入防止対策は重要となる。
ここで、建物の入口には自動ドアなどが設けられており、それら自動ドアの開閉のため、床面には案内溝が設けられているのが一般的である（例えば、特許文献１参照。）。
そこで、害虫の侵入を防止するために、案内溝に水を入れておき、この案内溝を渡ることができないようにして、地上徘徊性の害虫を建物の外から内へ入れないようにすることが考えられる。
【特許文献１】特開２００５−２７３１７２号公報
【発明の開示】
【発明が解決しようとする課題】
【０００３】
しかしながら、上記のように水を入れた構成では、害虫が水をはじくことから、その害虫が案内溝を泳いでわたってしまうことがあり、侵入防止対策としては不十分であるという問題がある。また、案内溝に水を入れても、その水は蒸発してしまうことから、頻繁な補充作業が必要となり、メンテナンスが煩雑となってしまう。さらに、水は腐敗し易いことから、長期間放置しておくと、非衛生的になってしまうため、水の入れ替え作業が必要となり、この点でもメンテナンスが煩雑となる。さらに、冬になると、水が凍ってしまい、害虫がわたることができるようになってしまうだけでなく、膨張によって設備を傷めてしまうという問題もある。
【０００４】
本発明は、このような事情に鑑みてなされたものであって、長期にわたって安定して確実に害虫の侵入を阻むことができるだけでなく、管理負担を軽減させることができる害虫侵入防止具及びこれを有する害虫侵入防止構造を提供することを目的とする。
【課題を解決するための手段】
【０００５】
上記課題を解決するために、本発明は以下の手段を提供する。
本発明に係る害虫侵入防止具は、害虫の侵入を防止するために建物に設置される害虫侵入防止具であって、前記害虫を落下させるための落下溝と、この落下溝に入れられたグリコールと、を備えていることを特徴とする。
【０００６】
この発明に係る害虫侵入防止具においては、害虫が落下溝に落下すると、その害虫はグリコールに漬かる。そして、グリコールは害虫と親和性が高いため、その害虫はグリコールをはじき難くなり、さらに害虫の気門が塞がれて溺死する。
これにより、害虫が落下溝を泳いでわたることを防止することができる。
また、グリコールであることから、蒸発することもなく、頻繁な補充作業が不要となる。
さらに、グリコールの防腐効果により、グリコール自体だけでなく、落下した害虫も腐敗し難くなり、悪臭などを防止することができる。
また、グリコールは不凍性を有することから、冬季に凍ることもない。
【０００７】
また、本発明に係る害虫侵入防止具は、前記落下溝が、前記建物のドア又はシャッターの開閉のために床面に設けられるレール溝であることを特徴とする。
【０００８】
この発明に係る害虫侵入防止具においては、床面に設けられたドア又はシャッターのレール溝にグリコールを注入するだけで、容易に、請求項１に記載の害虫侵入防止具と同様の効果を奏することができる。
【０００９】
また、本発明に係る害虫侵入防止具は、前記落下溝に設けられた蓋部と、この蓋部に設けられ、前記落下溝と外部とを連通する連通孔と、を備えることを特徴とする。
【００１０】
この発明に係る害虫侵入防止具においては、人や物は蓋部の上を通って通過するが、害虫がわたろうとするときには、その害虫は連通孔を介して落下溝に落下する。
これにより、害虫の侵入を阻むだけでなく、人や物を容易に通過させることができる。
【００１１】
また、本発明に係る害虫侵入防止具は、前記連通孔が、前記蓋部において前記落下溝の底面部の長さ方向に沿って形成されていることを特徴とする。
【００１２】
この発明に係る害虫侵入防止具においては、害虫が蓋部をわたろうとすると、連通孔に案内されて、落下溝に落下する。
これにより、害虫の侵入を確実に防止することができる。
【００１３】
また、本発明に係る害虫侵入防止構造は、請求項１から請求項４のいずれか一項に記載の害虫侵入防止具が、前記建物の床面に設置されていることを特徴とする。
【００１４】
この発明に係る害虫侵入防止構造においては、請求項１から請求項４のいずれか一項に記載の害虫侵入防止具と同様の効果を奏することができる。
【発明の効果】
【００１５】
本発明によれば、害虫が落下溝を泳いでわたることを防止することができるだけでなく、グリコールが非蒸発性、防腐効果及び不凍性などの性質を有することから、長期にわたって安定して確実に害虫の侵入を阻むことができるだけでなく、管理負担を軽減させることができる。
【発明を実施するための最良の形態】
【００１６】
（実施形態１）
以下、本発明の第１実施形態における害虫侵入防止具について、図面を参照して説明する。
図１は、本発明の実施形態としての害虫侵入防止具１を建物２に設置した様子を示したものである。
害虫侵入防止具１は、建物２の床面３に設置されるドア用のレールとして構成されている。なお、符号６は左右に開閉する自動ドアを示したものである。
【００１７】
害虫侵入防止具１は、長尺状に延びるレール本体７と、自動ドア６の左右の移動を案内する案内溝（落下溝、レール溝）８とを備えている。レール本体７は、ステンレスなどにより形成されている。案内溝８には、図２に示すように、プロピレングリコール１１が入れられている。なお、案内溝８の幅寸法Ｗは、５ｍｍから２００ｍｍに設定される。なお、幅寸法Ｗは、２０ｍｍから１５０ｍｍの範囲に設定するのが好ましい。すなわち、害虫としてダンゴムシＡを想定すると、ダンゴムシＡの全長が約１５ｍｍであるから、幅寸法Ｗを、それより大きい２０ｍｍとする。また、幅寸法Ｗが人間の足のサイズよりも大きくすると足がつかえてしまうので、案内溝８を踏んでも足が入らないように、幅寸法Ｗを、足のサイズよりも小さい１５０ｍｍとする。
これら害虫侵入防止具１を床面３に設置したものが、害虫侵入防止構造１２となる。
【００１８】
次に、このように構成された本実施形態における害虫侵入防止具１の作用について説明する。
ダンゴムシＡが、図２に示すように、建物外から建物内に向けて進行し、害虫侵入防止具１の前まで到達すると、ダンゴムシＡの前方に案内溝８が横たわる状態となる。そして、ダンゴムシＡがさらに建物内に向けて進行しようとすると、案内溝８を通ることになる。案内溝８は、ダンゴムシＡの全長より大きな幅寸法Ｗに設定されていることから、ダンゴムシＡは、案内溝８内に落下する。このとき、図３に示すように、案内溝８には、プロピレングリコール１１が入れられていることから、ダンゴムシＡはプロピレングリコール１１内に落ちることになる。
【００１９】
ここで、従来は、案内溝８に水が入れられていたため、ダンゴムシＡが水をはじいて案内溝８を越えて建物内に侵入してしまうことがあった。本実施形態においては、プロピレングリコール１１が入れられているため、ダンゴムシＡがプロピレングリコール１１をはじき難くなり、プロピレングリコール１１内に沈み込んでゆく。これによって、ダンゴムシＡが溺死する。さらに、ダンゴムシＡが仮に案内溝８を越えて建物内に到達したとしても、プロピレングリコール１１によってダンゴムシＡの気門が塞がれて、ダンゴムシＡは窒息する。
また、プロピレングリコール１１は、非蒸発性、防腐効果及び不凍性などの性質を有することから、そのプロピレングリコール１１は、長期にわたって案内溝８に入れられた適正な状態が保持される。
【００２０】
以上より、本実施形態における害虫侵入防止具１によれば、落下してきたダンゴムシＡを確実に死に到らせることができるため、ダンゴムシＡが案内溝８を泳いでわたることを防止することができるだけでなく、案内溝８を越えてしまったとしても、ダンゴムシＡを確実に殺生することができる。
また、プロピレングリコール１１であることから、蒸発することもなく、頻繁な補充作業が不要となる。
さらに、プロピレングリコール１１の防腐効果により、プロピレングリコール１１自体だけでなく、ダンゴムシＡも腐敗し難くなり、悪臭などを防止することができる。
また、プロピレングリコール１１は不凍性を有することから、冬季に凍ることもない。
【００２１】
したがって、害虫の建物内への侵入を、長期にわたって安定して確実に阻むことができるだけでなく、入れ替えや補充などの管理負担を軽減させることができる。そして、ダンゴムシＡの侵入を防止することができることから、ダンゴムシＡの死骸などを食するシロアリやシミの発生を防止することができる。なお、プロピレングリコール１１によって、そもそもシロアリやシミの建物内への侵入を防止することはできるが、それらシロアリやシミにとっての食物（ダンゴムシＡの死骸）を無くすことにより、確実にシロアリなどの侵入防止を図ることができる。
さらに、自動ドア６の案内溝８を利用していることから、既存の設備にプロピレングリコール１１を注入するだけで、容易に害虫の侵入を防止することができる。
また、プロピレングリコール１１であるため、人畜に影響を与えないようにすることができる。
【００２２】
なお、本実施形態においては、自動ドア６の案内溝８にプロピレングリコール１１を注入するとしたが、これに限ることはなく、適宜変更可能である。例えば、シャッターなどのレール溝にプロピレングリコール１１を注入するようにしてもよい。また、自動ドア６の案内溝８を利用することなく、ダンゴムシＡを落下させるための落下溝を別個に設けてもよい。また、プロピレングリコール１１としたが、これに限ることはなく、他のグリコールであってもよい。例えば、エチレングリコールなどを使用することもできる。
【００２３】
次に、本実施形態における害虫侵入防止具１についての第１の試験結果について説明する。
レール本体７の全長３４００ｍｍ、幅１８ｍｍ、深さ２２ｍｍとし、プロピレングリコール１１を案内溝８の８分目まで注いだ。そして、図４に示すように、内壁面にタルクを塗布処理したビニル製のリング（直径２０ｍｍ、高さ８０ｍｍ）１３を、レール本体７上に置いた。このときリング１３の横断面がレール本体７によって中央で２分割されるように、リング１３を置いた。リング１３内のエリアのうち、レール本体７よりも建物外側の外床３ａに、供試虫を２０頭放した。これを試験開始とする。そして、時間経過とともに、供試虫が外床３ａから案内溝８を越えて内床３ｂに到達するかどうか観察を行った。この試験は２反復行った。
【００２４】
試験結果を図５の表に示す。なお、図５の「ＮＯ．１」は試験１回目、「ＮＯ．２」は試験２回目を意味している。試験開始時には図５の「開始時」に示すように、外床３ａに２０頭存在している。試験開始から５分経過すると、すべての個体が案内溝８に落下したが、図５の「５分後」に示すように、２試験ともに２０頭中１頭が案内溝８から這い上がってきた。しかし、その１頭は、試験１回目では内床３ｂに出て、試験２回目では外床３ａに出てきた。プロピレングリコール１１に対する忌避性は見られなかった。案内溝８内に落下した個体は、試験開始から１５分後には、試験１回目では５頭が生存し、試験２回目では３頭が生存していた。試験開始から３０分後にはすべてノックダウンし、６０分後の試験終了後には、図５の「６０分後」に示すように、すべての個体が死亡していた。
これより、４０頭中、案内溝８に落下したものは１００％であり、這い上がったものは５％、内床３ｂに到達することができたものは２．５％であった。なお、案内溝８から這い上がってきた個体は、別の容器に移し替え、以後観察しなかった。
【００２５】
次に、本実施形態における害虫侵入防止具１についての第２の試験結果について説明する。
オカダンゴムシ３個体を、プロピレングリコール１１（１００ｍｌ）中に１頭ずつ落下させ、１５秒後に取り出した。取り出した個体を、ろ紙（商品名「ＡＤＶＡＮＴＥＣ  Ｎｏ．２」、直径１１０ｍｍ）を敷いたポリエチレンカップに移し替え、個体がノックダウンするまでの時間を測定した。ポリエチレンカップの直径は１１０ｍｍ、深さは９５ｍｍとした。なお、団子状に丸まったまま、しばらくたっても身動きしない個体については、ピンセットで軽く突付いて、その反応を観察し、動かない個体をノックダウンと判定した。
【００２６】
この試験結果を図６の表に示す。３個体のそれぞれを、図６の「Ｎｏ．」に示している。３個体のうち１頭は、１３分でノックダウンし、他の１頭は３３分、さらに他の１頭は４３分でノックダウンした。３個体のノックダウン時間はばらついたが、平均して３０分でノックダウンした。ノックダウン個体は、蘇生することなく５時間後の観察ではすべて死亡していた。
【００２７】
（実施形態２）
次に、本発明の第２の実施形態について説明する。
図７から図１１は、本発明の第２の実施形態を示したものである。
図７から図１１において、図１から図６に記載の構成要素と同一部分については同一符号を付し、その説明を省略する。
この実施形態と上記第１の実施形態とは基本的構成は同一であり、ここでは異なる点について説明する。
【００２８】
本実施形態における害虫侵入防止具１は、ドアの案内溝を利用するものでなく、床面３に改めて設置するものである。すなわち、害虫侵入防止具１は、図７に示すように、長尺状に延びる底面部１６を備えている。底面部１６内には、凹部（落下溝）２１が形成されており、この凹部２１内にプロピレングリコール１１が入れられている。底面部１６には、ドーム状に形成された蓋部１７が、凹部２１を覆うようにして設けられている。すなわち、害虫侵入防止具１の内部は中空に形成されており、横断面が半円形状に形成されている。さらに、底面部１６の長さ方向Ｌの両端には、蓋部１７の両端に連結された側壁部２２が設けられている。
【００２９】
蓋部１７のうち、底面部１６の幅方向Ｗ´の一端辺部２３の近傍には、凹部２１と外部とを連通する連通孔１８が形成されている。連通孔１８は、底面部１６の延在方向に沿って向けられて（横に向けられて）おり、蓋部１７の長さ方向Ｌの全長にわたって形成されている。また、連通孔１８の開口部の開き寸法Ｐは、２０ｍｍに設定されている。
このような構成のもと、本実施形態における害虫侵入防止具１は、図８に示すように、建物外の床面３のうち、開き扉２６が開いたエリアを全体として矩形に囲むようにして設置される。また、害虫侵入防止具１は、図９に示すように、連通孔１８の開口部が建物外側を向くようにして設置される。
【００３０】
次に、このように構成された本実施形態における害虫侵入防止具１の作用について説明する。
ダンゴムシＡが、図９に示すように、建物外から建物内に向けて進行し、害虫侵入防止具１の前まで到達すると、そのダンゴムシＡは、一端辺部２３から蓋部１７を上方に向けて這い上がっていく。すると、ダンゴムシＡの前方に、全長より大きいサイズの開口部が広がっているため、ダンゴムシＡは、図１０に示すように、開口部から連通孔１８に案内されて、害虫侵入防止具１の内部へ進んでいく。さらに進んでいくと、ダンゴムシＡは、図１１に示すように、凹部２１に落下し、上記と同様に、プロピレングリコール１１内に沈んでいき死亡する。
なお、害虫侵入防止具１の上を人や物（例えば台車など）が通過するときは、害虫侵入防止具１を跨いでいくか、図１２に示すように、蓋部１７を踏んで通過していく。
【００３１】
以上より、本実施形態における害虫侵入防止具１によれば、ドア用のレールがない場所でも容易に設置することができ、上記第１の実施形態と同様の効果を奏することができる。
また、蓋部１７が設けられていることから、人や物を容易に通過させることができる。
また、連通孔１８が横に向けられていることから、ダンゴムシＡを凹部２１に向けて案内することができ、凹部２１に確実に落下させることができる。
【００３２】
なお、連通孔１８の開き寸法Ｐを２０ｍｍとしたが、そのサイズは適宜変更可能である。
また、連通孔１８を一端辺部２３の近傍に設け、かつ横に向けるとしたが、これに限ることはなく、その形成場所や向きは適宜変更可能である。例えば、蓋部１７の最上部から底面部１６の延在方向に直交する方向に向けて形成してもよい。
また、本発明の技術範囲は上記の実施形態に限定されるものではなく、本発明の趣旨を逸脱しない範囲において、種々の変更を加えることが可能である。
【図面の簡単な説明】
【００３３】
【図１】本発明に係る害虫侵入防止具の第１の実施形態を示す図であって、害虫侵入防止具を建物の床面に設置した様子を示す外観図である。
【図２】図１の害虫侵入防止具を側面から見た図であって、ダンゴムシが近づいてくる様子を示す説明図である。
【図３】図２のダンゴムシが案内溝に落下して、プロピレングリコール１１に沈んでゆく様子を示す説明図である。
【図４】本発明に係る害虫侵入防止具に関する第１の試験を行うときの様子を示す平面図である。
【図５】図４に示す第１の試験の試験結果を示す表である。
【図６】本発明に係る害虫侵入防止具に関する第２の試験の試験結果を示す表である。
【図７】本発明に係る害虫侵入防止具の第２の実施形態を示す外観斜視図である。
【図８】図７の害虫侵入防止具を床面に設置した様子を示す説明図である。
【図９】図７の害虫侵入防止具を側面から見た図であって、ダンゴムシが蓋部を這い上がっていく様子を示す説明図である。
【図１０】図７の害虫侵入防止具を側面から見た図であって、ダンゴムシが連通孔に案内されていく様子を示す説明図である。
【図１１】図７の害虫侵入防止具を側面から見た図であって、ダンゴムシが凹部に落下し、プロピレングリコールに沈んでいく様子を示す説明図である。
【図１２】図７の害虫侵入防止具を側面から見た図であって、人が蓋部を踏んで通過する様子を示す説明図である。
【符号の説明】
【００３４】
１    害虫侵入防止具
２    建物
８    案内溝（落下溝、レール溝）
１２  害虫侵入防止構造
１６  底面部
１７  蓋部
１８  連通孔
Ａ    ダンゴムシ（害虫）
【図１】
0004675769.tif 000002
【図２】
0004675769.tif 000003
【図３】
0004675769.tif 000004
【図４】
0004675769.tif 000005
【図５】
0004675769.tif 000006
【図６】
0004675769.tif 000007
【図７】
0004675769.tif 000008
【図８】
0004675769.tif 000009
【図９】
0004675769.tif 000010
【図１０】
0004675769.tif 000011
【図１１】
0004675769.tif 000012
【図１２】
0004675769.tif 000013